(57)【特許請求の範囲】
【請求項１】
ベースの裏面に設けたばね力により主幹バーを挟持して接続するプラグイン端子を、接続する極毎にプラグイン端子のベースの裏面への取付高さを異ならしめて、各極毎のプラグイン端子の接続用接圧面の主幹バーへの接続高さを段差のあるものとしたプラグイン端子構造であって、前記ベースの裏面に設けたばね力により主幹バーを挟持して接続するプラグイン端子を３極備えたものであり、この３極のプラグイン端子が主幹バーに対して斜めに一直線状に配置して、この直線状の延長上の両側ベース位置に締付け部材を設けるとともに、中央の極のプラグイン端子のベースの裏面への取付高さを一番下方としたプラグイン端子構造。
【発明の詳細な説明】
【技術分野】
【０００１】
本発明は、主幹バーに嵌着してばね力により主幹バーを挟持して接続するプラグイン端子構造に関するものである。
【背景技術】
【０００２】
プラグイン配線用遮断器やプラグインユニット付配線用遮断器に備えたばね力により主幹バーを挟持して接続するプラグイン端子は、大容量の大型のものとなると主幹バーへの接圧面を広いものとするためばね荷重も増して、手により配線用遮断器を押し込む力では主幹バーへの嵌着作業を行うことができないものである。そのため、取付レールに設けた雌ねじに配線用遮断器に設けたねじ挿通孔から挿通したボルトを螺合してボルトの送りにより配線用遮断器をばね荷重に抗して主幹バー側に押込みプラグイン端子を接続するものであった。
【０００３】
しかしながら、ボルトの送りにより配線用遮断器のプラグイン端子を主幹バーに嵌着するものにあっても、ばね荷重が大きいとボルトの締め付け力も大きくなり作業性が悪いものであった。そこで、各極の主幹バーに嵌着するプラグイン端子を複数の端子部に分割して、この端子部の主幹バーへの接圧箇所の高さを異ならしめて、嵌着時にそれぞれの接圧箇所に係るばね荷重がずれるようにして嵌着のために大きな力を必要としたものが知られている（特許文献１参照）。
【０００４】
ところが、前記したプラグイン端子を複数の端子部に分割したものは、端子部の主幹バーへの接圧箇所の高さを異ならしめるため部品の寸法精度が厳しくなり、また、金型が複雑になり製造コストが高くなるという問題がある。
【特許文献１】特開２００５−１９１９９公開公報
【発明の開示】
【発明が解決しようとする課題】
【０００５】
本発明は前記のような問題を解決して、プラグイン配線用遮断器やプラグイン端子ユニットに備えたばね力により主幹バーを挟持して接続するプラグイン端子が大容量の大型のものでばね荷重が大きなものであっても容易に主幹バーへの嵌着作業を行うことができるうえ、安価に製造することができるプラグイン端子構造を提供するためになされたものである。
【課題を解決するための手段】
【０００６】
前記の課題を解決するためになされた本発明のプラグイン端子構造は、ベースの裏面に設けたばね力により主幹バーを挟持して接続するプラグイン端子を、接続する極毎にプラグイン端子のベースの裏面への取付高さを異ならしめて、各極毎のプラグイン端子の接続用接圧面の主幹バーへの接続高さを段差のあるものとしたものである。
【０００７】
そして、ベースの裏面に設けたばね力により主幹バーを挟持して接続するプラグイン端子を３極備えたものであり、この３極のプラグイン端子が主幹バーに対して斜めに一直線状に配置して、この直線状の延長上の両側ベース位置に締付け部材を設けるとともに、中央の極のプラグイン端子のベースの裏面への取付高さを一番下方としたものである。
【発明の効果】
【０００８】
本発明のプラグイン端子構造は、ベースの裏面に設けたばね力により主幹バーを挟持して接続するプラグイン端子を、接続する極毎にプラグイン端子のベースの裏面への取付高さを異ならしめて、各極毎のプラグイン端子の接続用接圧面の主幹バーへの接続高さを段差のあるものとしたので、嵌着時にそれぞれの接続用接圧面が大きな挿入荷重を必要な挟持初期が時間差をもって行われるので、主幹バーと対応する接続用接圧面から離れたベースの側方を押したり、ベースの側方に設けた締付けねじを操作することにより嵌着時に一度に大きな挿入荷重を不要とするので嵌着作業が容易なものとなる。
【０００９】
しかも、本発明に係るものは、接続する極毎にプラグイン端子のベースの裏面への取付高さを異ならしめて、各極毎のプラグイン端子の接続用接圧面の主幹バーへの接続高さを段差のあるものとしたから、プラグイン端子は構造の簡単な同一構造のものを用意するだけでよいので安価に提供できるものである。
【００１０】
また、ベースの裏面に設けたばね力により主幹バーを挟持して接続するプラグイン端子を３極備えたものとして、この３極のプラグイン端子の中央が主幹バーに対して斜めに一直線状に配置して、この直線状の延長上のベース両側に締付け部材を設けるとともに、中央の極のプラグイン端子のベースの裏面への取付高さを一番下方とすれば、直線状の延長上のベース両側に設けた締付け部材を交互に操作すれば中央の極のプラグイン端子から主幹バーに嵌着されて両側の極のプラグ端子が主幹バーに嵌着されるので作業性が向上するものである。
【発明を実施するための最良の形態】
【００１１】
次に、本発明の好ましい実施の形態を図示のプラグインユニット付配線用遮断器に基づき説明する。
図１、図２及び図３において、１は樹脂製のベース２の上に３極の配線用遮断器本体３を搭載したプラグインユニットであり、該プラグインユニット１のベース２の裏面には、３極の主幹バー（Ａ）に対応させてばね力により主幹バー（Ａ）を挟持して接続するプラグイン端子４が設けられている。そして、これらプラグイン端子４は同一構造のものを各極毎に２個一組として、接続する極毎にベース２の裏面への取付高さを異ならしめて、各極毎のプラグイン端子４の主幹バー（Ａ）への接続用接圧面５を段差のあるものとしている。
【００１２】
前記プラグイン端子４は図５及び図６に示すように取付用上板部４１の両側下方に内向きにく字状に屈曲させて屈曲部内面を主幹バー（Ａ）の接続用接圧面５に形成した挟持片４２、４２からなる弾性金属製のプラグ４０と、このプラグ４０の先端を内側に弾発する円弧状のスプリング４３を備えたものである。そして、プラグイン端子４はベース１の内部に組み込んだ導体６に極毎に厚さの異なる導電ブロック７を介してネジ８によって着脱自在に固定して、前記したようにベース２の裏面への取付高さを異ならしめて、各極毎のプラグイン端子４の主幹バー（Ａ）への接続用接圧面６を段差のあるものとしている。
【００１３】
このようにプラグイン端子４を、接続する極毎にプラグイン端子４のベース２の裏面への取付高さを異ならしめて、各極毎のプラグイン端子４の接続用接圧面５の主幹バー（Ａ）への接続高さを段差のあるものとしたので、嵌着時にそれぞれの接続用接圧面５が大きな挿入荷重を必要な挟持初期が時間差をもって主幹バー（Ａ）を挟持するので、主幹バー（Ａ）と対応する接続用接圧面５から離れたベース２の側方を押したり、ベース２の側方に設けた締付け部材２１を大きく操作することによって、力点、作用点の関係で軽い力で締め付けることができて、嵌着作業が容易なものとなる。
【００１４】
しかも、本発明に係るものは、接続する極毎にプラグイン端子４のベース２の裏面への取付高さを異ならしめて、各極毎のプラグイン端子４の主幹バー（Ａ）への接続用接圧面５を異なるものとして接続高さを段差のあるものとしたから、簡単な金型で製作できる同一規格のプラグイン端子４を用意すればよいので安価に提供できるものである。
【００１５】
また、前記３極のプラグイン端子４を主幹バー（Ａ）に対して斜めに一直線状に配置して、この直線状の延長上の両側ベース２の位置に締付け部材２１を設けるとともに、中央の極のプラグイン端子４のベース２の裏面への取付高さを一番下方としている。なお、ベース２の裏面への各極のプラグイン端子４の取付部４ａは図２に示すよう中央の極は真中に１箇所、両側の極は前後に２箇所配置して主幹バー（Ａ）に対して２方向の斜めに直線状に配置することができるものとして、横配置、縦配置に対応させてプラグイン端子４をいずれの直線上に配置できるものとしている。
【００１６】
これにより、直線状の延長上のベース２両側に設けた締付け部材２１、２１を交互に操作すれば中央の極のプラグイン端子４から主幹バー（Ａ）に嵌着されて両側の極のプラグイン端子４が主幹バー（Ａ）に嵌着されるので作業性がより向上するものである。なお、前記締付け部材２１は図示のものは取付レール（Ｂ）に設けたナット部２１ａにベース２に設けたボルト挿通孔から挿通したボルト２１ｂを螺合してボルト２１ｂを送ることによりボルト２１ｂの頭部によりベース２を下方に押圧して、この押圧に伴いプラグイン端子４を主幹バー（Ａ）に嵌着するものである。
【００１７】
また、図１、図３に示すようにベース２の側部にはばねにより下方に付勢された表示装置２２が設けられており、プラグイン端子４が完全に主幹バー（Ａ）に嵌着されてベース２の側部裏面が取付レール（Ｂ）に当接してばねに抗して表示部２２ａが上昇して図３に示す表示窓孔２２ｂから露出して、嵌着作業完了を知ることができるものである。
【図面の簡単な説明】
【００１９】
【図１】本発明の実施形態を示す側面図である。
【図２】本発明の実施形態を示す底面図である。
【図３】本発明の実施形態を示す平面図である。
【図４】本発明の実施形態を示す底面側からの斜視図である。
【図５】本発明の実施形態に使用するプラグイン端子の取付状態を示す側面図である。
【図６】本発明の実施形態に使用するプラグイン端子の取付状態を示す斜視図である。
【図７】主幹バーへの最下方のプラグイン端子が嵌着する状態を示す側面図である。
【図８】主幹バーへの最下段のプラグイン端子が嵌着した後に中段のプラグイン端子が嵌着する状態を示す側面図である。
【図９】主幹バーへの最下段、中段のプラグイン端子が嵌着した後に最上段のプラグイン端子が嵌着する状態を示す側面図である。
【符号の説明】
【００２０】
２  ベース
４  プラグイン端子
５  接続用接圧面
Ａ  主幹バー
【図１】
0005068111.tif 000002
【図２】
0005068111.tif 000003
【図３】
0005068111.tif 000004
【図４】
0005068111.tif 000005
【図５】
0005068111.tif 000006
【図６】
0005068111.tif 000007
【図７】
0005068111.tif 000008
【図８】
0005068111.tif 000009
【図９】
0005068111.tif 000010